(57)【要約】      （修正有）【課題】採皮対象者から皮膚を採取するにあたり、必要な面積の皮膚を精度よく採取できるようにする皮膚採取用マーキングシールを提供する。【解決手段】皮膚採取用マーキングシール１０は、裏面が粘着面であるシール本体２０と、この粘着面を被覆する剥離紙とを備えている。シール本体２０の表面には、所定の面積を有する皮膚採取用の型の模様２４が表示され、且つ、該型の模様２４の輪郭の周囲には該周囲の一部を残して該周囲に沿ってガイド孔２６，２８が形成されている。このシール１０を使用するには、まず、剥離紙を剥がし、採皮対象者の皮膚採取部位にシール本体２０を貼り付ける。そして、ガイド孔２６，２８に沿ってマーキングペンを動かし、マーキングラインを形成する。その後、シール本体２０を剥がす。【選択図】図１
0003169862.tif 000002
【実用新案登録請求の範囲】
【請求項１】
裏面が粘着面であるシール本体と、
前記粘着面を被覆する剥離紙と
を備え、
前記シール本体の表面には、所定の面積を有する皮膚採取用の型の模様が表示され、且つ、該型の模様の輪郭の周囲には該周囲の一部を残して該周囲に沿ってガイド孔が形成されている、
皮膚採取用マーキングシール。
【請求項２】
前記型の模様には、前記所定の面積を表す数値と単位が印刷されている、
請求項１に記載の皮膚採取用マーキングシール。
【請求項３】
前記型の模様は、青系統の色で着色されている、
請求項１又は２に記載の皮膚採取用マーキングシール。
【請求項４】
前記型の模様は、紡錘形状である、
請求項１〜３のいずれか１項に記載の皮膚採取用マーキングシール。
【請求項５】
前記ガイド孔は、前記シートのみならず前記剥離紙も貫通している、
請求項１〜４のいずれか１項に記載の皮膚採取用マーキングシール。
【考案の詳細な説明】
【技術分野】
【０００１】
本考案は、皮膚採取用マーキングシールに関する。
【背景技術】
【０００２】
皮膚が広範囲にわたって失われた場合、移植するために十分な面積の正常皮膚が得られないことがある。そこで、正常な皮膚から増殖能力が優れた表皮細胞を取り出して人工的に培養し、皮膚のようにシート状にしたものを受傷部位に移植する培養表皮移植の技術が開発され、現在実用化されている。例えば、特許文献１の図２には、培養表皮の作製工程のフローが説明されている。
【先行技術文献】
【特許文献】
【０００３】
【特許文献１】特開２００５−１６８３９８号公報
【考案の概要】
【考案が解決しようとする課題】
【０００４】
ところで、皮膚採取対象者（以下「採皮対象者」という）から正常な皮膚を採取するにあたり、どのくらいの大きさの皮膚を採取するかは、必要となる培養表皮の枚数と培養に要する期間によって決定される。そして、皮膚の大きさが決定したら、医師は採皮対象者からその大きさの皮膚を採取する。皮膚の採取は、通常、メスを使用して行われる。
【０００５】
しかしながら、医師が採皮対象者から例えば１０ｃｍ2の皮膚を採取する際、通常は１０ｃｍ2であればこの程度の大きさであろうと目測して採取することが多かった。その場合、実際に採取した面積が必要な面積よりも小さいと培養表皮の作製期間が長くなる等の不具合が生じることから、必要な面積よりも大きめに採取することが多く、採皮対象者への負担が過重になるという問題があった。
【０００６】
本考案はこのような課題を解決するためになされたものであり、採皮対象者から皮膚を採取するにあたり、必要な面積の皮膚を精度よく採取できるようにすることを主目的とする。
【課題を解決するための手段】
【０００７】
本考案の皮膚採取用マーキングシールは、
裏面が粘着面であるシール本体と、
前記粘着面を被覆する剥離紙と
を備え、
前記シール本体の表面には、所定の面積を有する皮膚採取用の型の模様が表示され、且つ、該型の模様の輪郭の周囲には該周囲の一部を残して該周囲に沿ってガイド孔が形成されている。
【０００８】
この皮膚採取用マーキングシールは、採皮対象者から皮膚を採取する際に使用するものである。ガイド孔は、少なくともシール本体の表面から裏面までを貫通するように形成されている。その使用方法は、以下の通りである。まず、剥離紙を剥がしてシール本体の粘着面を露出させる。続いて、採皮対象者の皮膚採取部位にシール本体を貼り付ける。そして、シール本体に設けられたガイド孔に沿ってマーキングペンを動かす。すると、型の模様の周囲に沿った形状のマーキングラインが形成される。その後、シール本体を剥がす。その結果、皮膚採取部位には、所定の面積を有する皮膚採取用の型の模様の輪郭がマーキングラインによって示された状態となる。このため、医師はこのマーキングラインに沿って皮膚を採取すれば、必要な面積の皮膚を精度よく採取することができる。
【０００９】
本考案の皮膚採取用マーキングシールにおいて、前記型の模様には、前記所定の面積を表す数値と単位が印刷されていてもよい。こうすれば、医師が皮膚採取用マーキングシールを利用する場合、必要な面積と同じ面積を有するマーキングシールか否かを目視により容易に判断することができる。
【００１０】
本考案の皮膚採取用マーキングシールにおいて、前記型の模様は、青系統の色で着色されていてもよい。こうすれば、皮膚や血液の色と型の模様とを区別しやすい。
【００１１】
本考案の皮膚採取用マーキングシールにおいて、前記型の模様は、紡錘形状としてもよい。こうすれば、皮膚を採取した後の皮膚採取部位を縫い合わせやすい。
【００１２】
本考案の皮膚採取用マーキングシールにおいて、前記ガイド孔は、前記シートのみならず前記剥離紙も貫通していてもよい。例えば採皮対象者が粘着剤に敏感な場合には、剥離紙を剥がすことなく皮膚採取用マーキングシールを皮膚採取部位に当てた状態でマーキングラインを形成することができる。
【図面の簡単な説明】
【００１３】
【図１】皮膚採取用マーキングシール１０の正面図である。
【図２】皮膚採取用マーキングシール１０の背面図である。
【図３】皮膚採取用マーキングシール１０の左側面図である。
【図４】複数の皮膚採取用マーキングシール１０を止め輪３２で束ねた様子を示す説明図である。
【図５】皮膚採取用マーキングシール１０の使用例を示す説明図である。
【図６】皮膚採取用マーキングシール１０をシートにした例を示す説明図である。
【考案を実施するための形態】
【００１４】
次に、本考案の実施の形態を図面を用いて説明する。図１は、本考案の一実施形態である皮膚採取用マーキングシール１０の正面図、図２はその背面図、図３はその左側面図、図４は複数の皮膚採取用マーキングシール１０を止め輪３２で束ねた様子を示す説明図である。
【００１５】
皮膚採取用マーキングシール１０は、図３に示すように、裏面が粘着面２２であるシール本体２０と、この粘着面２２を被覆する剥離紙４０とを備えている。
【００１６】
シール本体２０の表面には、図１に示すように、所定の面積を有する皮膚採取用の型の模様２４が表示され、且つ、該型の模様２４の輪郭の周囲には該周囲の一部を残して該周囲に沿ってガイド孔２６，２８が形成されている。型の模様２４は、本実施形態では紡錘形である。ガイド孔２６，２８は、この紡錘形状の型の模様２４の輪郭のうち最も尖った両端を残して形成されている。型の模様２４のほぼ中央には、所定の面積を表す数値と単位が印刷されている。ここでは、型の模様２４の面積が７ｃｍ2のため、「７ｃｍ2」と印刷されている。また、型の模様２４は、青系統の色、例えば水色や青色、紺色などで着色されている（網掛けは着色されていることを示す）。この型の模様２４の右側には、型の縦方向の長さを示す寸法が引出線及び両端に矢印が付された線分と共に印刷され、下側には、型の横方向の長さを示す寸法が引出線及び両端に矢印が付された線分と共に印刷されている。ここでは、縦方向の長さが１６．６ｍｍ、横方向の長さが６２．７ｍｍのため、それぞれ「１６．６ｍｍ」、「６２．７ｍｍ」と印刷されている。更に、型の模様２４は、紡錘形状となっている。
【００１７】
シール本体２０は、図１において右下の位置にパンチング穴３０が開けられている。このパンチング穴３０は、皮膚採取用マーキングシール１０を複数枚束ねておくときに利用するものである。すなわち、図４に示すように、皮膚採取用マーキングシール１０を複数枚重ね、各シール１０のパンチング穴３０を一致させ、そこに止め輪３２を通過させることにより、束ねた状態とすることができる。また、シール本体２０は、ミシン目の切り取り線３４を有している。シール本体２０を使用する際、シール本体２０を切り取り線３４で切り離す。こうすることで、皮膚採取用マーキングシール１０が止め輪３２に止められていたとしても、シール本体２０を使用することができる。
【００１８】
剥離紙４０は、シール本体２０の粘着面２２の全面を覆っている。ガイド孔２６，２８やパンチング穴３０、ミシン目の切り取り線３４は、シール本体２０を貫通しているのみならず剥離紙４０も貫通している。この剥離紙４０には、切れ目４２が設けられている。この切れ目４２は、切り取り線３４よりもガイド孔２６，２８に近い側に形成されている。
【００１９】
次に、皮膚採取用マーキングシール１０の使用例について説明する。図５は、その使用例の説明図である。まず、シール本体２０を切り取り線３４で切り取り、次いで切れ目４２に指をかけて剥離紙４０を剥がしてシール本体２０の粘着面２２を露出させる。そして、切り取ったシール本体２０の粘着面２２を採皮対象者の皮膚採取部位に貼り付ける（図５（ａ）参照）。続いて、シール本体２０に設けられたガイド孔２６，２８に沿ってマーキングペン４４を動かす（図５（ｂ）参照）。すると、型の模様２４の周囲に沿った形状のマーキングライン４６，４８が形成される（図５（ｃ）参照）。その後、シール本体２０を皮膚採取部位から剥がすと、皮膚採取部位には、所定の面積を有する皮膚採取用の型の模様２４の輪郭がマーキングライン４６，４８によって示された状態となる（図５（ｄ）参照）。医師はこのマーキングライン４６，４８に沿って皮膚採取部位から紡錘形状の皮膚５０を採取する（図５（ｅ）参照）。皮膚５０を採取した後の皮膚採取部位は、紡錘形状の傷跡５２が残る。最後に、紡錘形状の傷跡５２は縫い合わされて手術創５４となる（図５（ｆ）参照）。
【００２０】
以上詳述したように、皮膚採取用マーキングシール１０を用いれば、医師は採皮対象者の皮膚採取部位から必要な面積の皮膚を精度よく採取することができる。
【００２１】
また、型の模様２４には、所定の面積を表す数値と単位が印刷されているため、医師が皮膚採取用マーキングシール１０を利用する場合、必要な面積と同じ面積を有するマーキングシールか否かを目視により容易に判断することができる。
【００２２】
更に、型の模様２４は、青系統の色で着色されているため、皮膚や血液の色と型の模様とを区別しやすい。
【００２３】
更にまた、型の模様２４は、紡錘形状のため、皮膚を採取した後の皮膚採取部位を縫い合わせやすい。
【００２４】
そしてまた、型の模様２４の右側及び下側には、その型の縦寸法及び横寸法が印刷されているため、皮膚採取用マーキングシールを使用できない状況下（例えば、無菌環境下での使用）においても、医師はこの寸法を参照して略紡錘形や略ひし形などの採取エリアをマーキングペンでマーキングすることができ、適正な大きさの皮膚を採取できる。
【００２５】
加えて、シール本体２０を皮膚採取部位に貼り付けた状態で撮影し記録することもできるし、シール本体２０を皮膚採取部位から剥がしたあとカルテ等に貼付して保存することもできる。
【００２６】
なお、本考案は上述した実施形態に何ら限定されることはなく、本考案の技術的範囲に属する限り種々の態様で実施し得ることはいうまでもない。
【００２７】
例えば、上述した実施形態では、皮膚採取用マーキングシール１０を使用する際に剥離紙４０を剥がしたが、採皮対象者が粘着剤に敏感な場合には、剥離紙４０を剥がさずそのまま採皮対象者の皮膚提供部位に押し当てて使用してもよい。この場合、ガイド孔２６，２８はシール本体２０のみならず剥離紙４０も貫通しているため、剥離紙４０を剥がさない状態でもガイド孔２６，２８に沿ってマーキングペン４４を動かすことによりマーキングライン４６，４８を描くことができる。なお、このように剥離紙４０を剥がさずに使用することを想定しない場合、ガイド孔２６，２８はシール本体２０のみ貫通し剥離紙４０を貫通しないようにしてもよい。
【００２８】
上述した実施形態では、所定の面積が７ｃｍ2の場合を例に挙げて説明したが、例えば型の面積が１ｃｍ2，２ｃｍ2，３ｃｍ2，……，１２ｃｍ2のように種々の面積を有する皮膚採取用マーキングシール１０を止め輪３２によって束ねて１セットにしてもよい。採取する皮膚の面積は、培養皮膚の大きさ（必要枚数）と培養期間とによって決定されるものであり、絶えず一定ではない。このため、こうした束を用意しておけば、医師は採取しようとする皮膚の面積に合った皮膚採取用マーキングシール１０を容易に選択し使用することができる。また、必要な面積が７ｃｍ2であると決定された場合であっても、医師がその場でその皮膚採取部位であれば８ｃｍ2を採取可能と判断した場合には、型の面積が８ｃｍ2の皮膚採取用マーキングシール１０を使用することもできる。なお、種々の面積を有する皮膚採取用マーキングシール１０は、１セットにして止め輪３２によって束ねておいてもよいが、その代わりに、図６に示すように１枚のシートにしておいてもよい。
【００２９】
上述した実施形態では、型の模様２４を紡錘形状としたが、四角形状としてもよい。この場合、四角形の輪郭の一部（例えば４つの頂点の部分）を残してガイド孔が形成される。こうすれば、マーキングラインは、四角形の輪郭を表すものとなる。特に、ダーマトームのような皮膚採取用の器具を使用する場合に、こうした四角形状のマーキングラインは有用なガイドとなる。なお、四角形状の代わりに三角形状や五角形状、六角形状としてもよい。あるいは、円形としてもよい。この場合、円形の輪郭の一部（例えば１２時の位置と６時の位置）を残してガイド孔が形成される。こうすれば、マーキングラインは、円形の輪郭を表すものとなる。特に、パンチによって皮膚を採取する場合に、こうした円形のマーキングラインが有用なガイドとなる。
【００３０】
上述した実施形態では、皮膚採取用マーキングシール１０の使用例として、まず、シール本体２０を切り取り線３４で切り取り、次いで剥離紙４０を剥がしてシール本体２０の粘着面２２を露出させるという手順で説明したが、まず、切れ目４２に指をかけて剥離紙４０を剥がしてシール本体２０の粘着面２２を露出させ、次いでシール本体２０を切り取り線３４で切り取るという手順にしてもよい。
【００３１】
上述した実施形態では、剥離紙４０に切り取り線３４と切れ目４２を設けることで、皮膚に接着させない部分（切り取り線３４と切れ目４２の間に相当する部分）ができるため、皮膚採取用マーキングシール１０を皮膚から剥がす際の把持部となり、容易に剥がすことができるが、必ずしも切れ目４２を設ける必要はない。また、皮膚採取用マーキングシール１０を止め輪３２から外して使用することも可能であるため、必ずしも切り取り線３４を設ける必要はない。このように切り取り線３４と切れ目４２は必ずしも必要ではないが、両方が設けられていることが好ましい。
【符号の説明】
【００３２】
１０  皮膚採取用マーキングシール、２０  シール本体、２２  粘着面、２４  型の模様、２６，２８  ガイド孔、３０  パンチング穴、３２  止め輪、３４  切り取り線、４０  剥離紙、４２  切れ目、４４  マーキングペン、４６，４８  マーキングライン、５０  紡錘形状の皮膚、５２  傷跡、５４  手術創
【図１】
0003169862.tif 000003
【図２】
0003169862.tif 000004
【図３】
0003169862.tif 000005
【図４】
0003169862.tif 000006
【図５】
0003169862.tif 000007
【図６】
0003169862.tif 000008